(57)【要約】【課題】  簡単な構造で放熱部品を効果的に冷却すること。【解決手段】  ケーシング１内のメインシャーシ２にトレイ３が前後進ａ，ｂ可能に配置され、該トレイ３の上面３ａの前後両端部にディスクＤ載置用凹部４を取り囲むようにして複数の通気孔２２が形成され、該各通気孔２２より外側でその各通気孔２２の側縁に沿って誘導板２３が立設されており、ディスクＤの高速回転に伴う空気流を各誘導板２３に沿って各通気孔２２内に誘導するようにした。【選択図】        図１
2005327347.tif 000002
【特許請求の範囲】
【請求項１】
ケーシング内のメインシャーシにトレイが前後進可能に配置され、該
トレイの上面中央にディスク載置用凹部が形成されると共に、該凹部の内側面にスリット
孔が形成され、前記トレイの下方のドライブシャーシがメインシャーシに上下動可能に取
り付けられ、該ドライブシャーシに、ターンテーブル付きスピンドルモータとフィードモ
ータによりディスク半径方向に移動可能な光ピックアップとが配置され、前記トレイ及び
ドライブシャーシを駆動するためのローディングモータがメインシャーシに設けられてお
り、トレイをケーシング内に収納している状態からローディングモータの正転駆動により
ドライブシャーシを下動させた後にトレイを前進させ、その最前進状態のトレイの凹部内
からディスクを取り出したり該凹部内に新たなディスクを載置し、前記ローディングモー
タの逆転駆動によりトレイを後進させた後にドライブシャーシを上動させ、トレイ上のデ
ィスクをターンテーブルで持ち上げ、スピンドルモータによりターンテーブルを介してデ
ィスクを高速回転させ、そのディスクの高速回転に伴う空気流をスリット孔に誘導するよ
うにしたディスク装置において、前記トレイの凹部内側面に形成したスリット孔に代えて
、該トレイの上面の前後両端部に凹部を取り囲むようにして複数の通気孔が形成され、該
各通気孔より外側でその各通気孔の側縁に沿ってトレイの前板部とほぼ同一高さの誘導板
が立設されており、ディスクの高速回転に伴う空気流を各誘導板に沿って各通気孔内に誘
導し、前記ケーシング内に温度検出器が配置され、該温度検出器による検出温度に基づい
て前記各モータ及び光ピックアップを制御するコントローラが設けられており、温度検出
器による検出温度が設定値よりも高いときに光ピックアップの作動を停止させ、続いて一
定時間経過後に検出温度が設定値よりも高いときにスピンドルモータによるディスクの回
転を停止させた後、ローディングモータによりトレイを前進させ、その後、一定時間経過
後に検出温度が設定値よりも低くなったときにローディングモータによりトレイを後進さ
せるようにしたことを特徴とするディスク装置。
【請求項２】
ケーシング内のメインシャーシにトレイが前後進可能に配置され、該
トレイの上面中央にディスク載置用凹部が形成されると共に、該凹部の内側面にスリット
孔が形成され、前記トレイの下方のドライブシャーシがメインシャーシに上下動可能に取
り付けられ、該ドライブシャーシに、ターンテーブル付きスピンドルモータとフィードモ
ータによりディスク半径方向に移動可能な光ピックアップとが配置され、前記トレイ及び
ドライブシャーシを駆動するためのローディングモータがメインシャーシに設けられてお
り、トレイをケーシング内に収納している状態からローディングモータの正転駆動により
ドライブシャーシを下動させた後にトレイを前進させ、その最前進状態のトレイの凹部内
からディスクを取り出したり該凹部内に新たなディスクを載置し、前記ローディングモー
タの逆転駆動によりトレイを後進させた後にドライブシャーシを上動させ、トレイ上のデ
ィスクをターンテーブルで持ち上げ、スピンドルモータによりターンテーブルを介してデ
ィスクを高速回転させ、そのディスクの高速回転に伴う空気流をスリット孔に誘導するよ
うにしたディスク装置において、前記トレイの凹部内側面に形成したスリット孔に代えて
、該トレイの上面の前後両端部に凹部を取り囲むようにして複数の通気孔が形成され、該
各通気孔より外側でその各通気孔の側縁に沿ってトレイの前板部よりも所定間隔だけ高い
誘導板が該トレイに起倒可能に取り付けられると共に、その各誘導板がばねにより常時起
立状態に保持されており、ディスクの高速回転に伴う空気流を各誘導板に沿って各通気孔
内に誘導し、各誘導板がケーシングのトレイ挿通口に当たってばねに抗して倒れることに
より該トレイ挿通口を通過し、前記ケーシング内に温度検出器が配置され、該温度検出器
による検出温度に基づいて前記各モータ及び光ピックアップを制御するコントローラが設
けられており、温度検出器による検出温度が設定値よりも高いときに光ピックアップの作
動を停止させ、続いて一定時間経過後に検出温度が設定値よりも高いときにスピンドルモ
ータによるディスクの回転を停止させた後、ローディングモータによりトレイを前進させ
、その後、一定時間経過後に検出温度が設定値よりも低くなったときにローディングモー
タによりトレイを後進させるようにしたことを特徴とするディスク装置。
【請求項３】
ケーシング内のメインシャーシにトレイが前後進可能に配置され、該
トレイの上面中央にディスク載置用凹部が形成され、そのトレイの下方のドライブシャー
シがメインシャーシに上下動可能に取り付けられ、該ドライブシャーシに、ターンテーブ
ル付きスピンドルモータとフィードモータによりディスク半径方向に移動可能な光ピック
アップとが配置され、前記トレイ及びドライブシャーシを駆動するためのローディングモ
ータがメインシャーシに設けられており、トレイをケーシング内に収納している状態から
ローディングモータの正転駆動によりドライブシャーシを下動させた後にトレイを前進さ
せ、その最前進状態のトレイの凹部内からディスクを取り出したり該凹部内に新たなディ
スクを載置し、前記ローディングモータの逆転駆動によりトレイを後進させた後にドライ
ブシャーシを上動させ、トレイ上のディスクをターンテーブルで持ち上げ、スピンドルモ
ータによりターンテーブルを介してディスクを高速回転させるようにしたディスク装置に
おいて、前記トレイの上面の前後両端部に凹部を取り囲むようにして複数の通気孔が形成
され、該各通気孔より外側でその各通気孔の側縁に沿って誘導板が立設されており、ディ
スクの高速回転に伴う空気流を各誘導板に沿って各通気孔内に誘導するようにしたことを
特徴とするディスク装置。
【請求項４】
前記各誘導板がトレイの前板部よりも所定間隔だけ高く設定されてト
レイに起倒可能に取り付けられると共に、その各誘導板がばねにより常時起立状態に保持
されており、ディスクの高速回転に伴う空気流を各誘導板に沿って各通気孔内に誘導し、
各誘導板がケーシングのトレイ挿通口に当たってばねに抗して倒れることにより該トレイ
挿通口を通過するようにしたことを特徴とする請求項３に記載のディスク装置。
【請求項５】
ケーシング内のメインシャーシにトレイが前後進可能に配置され、該
トレイの上面中央にディスク載置用凹部が形成され、そのトレイの下方のドライブシャー
シがメインシャーシに上下動可能に取り付けられ、該ドライブシャーシに、ターンテーブ
ル付きスピンドルモータと光ピックアップ付きフィードモータとが配置され、前記トレイ
及びドライブシャーシを駆動するためのローディングモータがメインシャーシに設けられ
ており、トレイをケーシング内に収納している状態からローディングモータの正転駆動に
よりドライブシャーシを下動させた後にトレイを前進させ、その最前進状態のトレイの凹
部内からディスクを取り出したり該凹部内に新たなディスクを載置し、前記ローディング
モータの逆転駆動によりトレイを後進させた後にドライブシャーシを上動させ、トレイ上
のディスクをターンテーブルで持ち上げ、スピンドルモータによりターンテーブルを介し
てディスクを高速回転させるようにしたディスク装置において、前記ケーシング内に温度
検出器が配置され、該温度検出器による検出温度に基づいて前記各モータ及び光ピックア
ップを制御するコントローラが設けられており、温度検出器による検出温度が設定値より
も高いときに光ピックアップの作動を停止させ、続いて一定時間経過後に検出温度が設定
値よりも高いときにスピンドルモータによるディスクの回転を停止させた後、ローディン
グモータによりトレイを前進させ、その後、一定時間経過後に検出温度が設定値よりも低
くなったときにローディングモータによりトレイを後進させるようにしたことを特徴とす
るディスク装置のケーシング内温度調整方法。
【発明の詳細な説明】
【技術分野】
【０００１】
本発明は、例えばＤＶＤなどのディスクの再生や記録または消去を行うためのディスク
装置とそのケーシング内温度調整方法に関する。
【背景技術】
【０００２】
ディスク装置の一例として図７〜図９に示すものがある。これは、ケーシング１内のメ
インシャーシ２にトレイ３が前後進ａ，ｂ可能に配置され、該トレイ３の上面３ａの中央
にディスクＤ載置用凹部４が形成され、そのトレイ３の下方のドライブシャーシ５の後端
部をメインシャーシ２の後部２ａにゴムなどの弾性体６ａを介して連結すると共に、該ド
ライブシャーシ５の前端部を昇降部材７に弾性体６ｂを介して連結することにより、その
ドライブシャーシ５が後側弾性体６ａを中心に上下動ｅ，ｆ可能に形成され、昇降部材７
に突設したカム軸８がメインシャーシ２の前部２ｂに前後進ａ，ｂ方向とは直交する左右
方向ｃ，ｄに移動可能に配置したカム板９のカム溝９ａに係合され、ドライブシャーシ５
に、ターンテーブル１０付きスピンドルモータ１１とフィードモータ１３によりディスク
半径方向に移動可能な光ピックアップ１２とが配置され、トレイ３の下面に形成したラッ
ク１４に対向してメインシャーシ２の前部２ｂにピニオン１５が配置され、連動機構（図
示せず）を介してピニオン１５及びカム板９を駆動するためのローディングモータ１６が
メインシャーシ２の前部２ｂに設けられている。なお、１７はターンテーブル１０に対向
してメインシャーシ２上の天板部２ｃに一定範囲内昇降可能に配置した磁石付きディスク
ホルダ、１８はプリント基板である。
【０００３】
エジェクト動作を説明すると、図７に実線で示す状態からエジェクト釦を押すことによ
り、そのエジェクト信号に基づいてフィードモータ１３により光ピックアップ１２を待機
位置まで移動させた後、ローディングモータ１６の正転駆動によりカム板９を矢印ｃ方向
に移動させてカム溝９ａ、カム軸８及び昇降部材７を介してドライブシャーシ５を後側弾
性体６ａを中心に下動ｆさせ、これによって、ディスクＤをトレイ３の凹部４上に載置す
ると共に、ターンテーブル１０をトレイ３よりも下げ、続いて、トレイ３を若干前進ａさ
せてラック１４をピニオン１５に噛合させ、該ピニオン１５を正転駆動してトレイ３をケ
ーシング１のトレイ挿通口１ａを通って前進ａさせ（図７仮想線参照）、その最前進ａ状
態のトレイ３の凹部４内からディスクＤを取り出したり該凹部４内に新たなディスクＤを
載置し、その後、エジェクト釦を押すことにより、そのエジェクト信号に基づいてローデ
ィングモータ１６の逆転駆動によりトレイ３を後進ｂさせた後にドライブシャーシ５を上
動ｅさせ、凹部４上のディスクＤをターンテーブル１０で持ち上げる（図７実線参照）。
【０００４】
続いて、スピンドルモータ１１によりターンテーブル１０を介してディスクＤを高速回
転させ、フィードモータ１３により光ピックアップ１２をディスク半径方向に沿って移動
させることにより、該光ピックアップ１２でディスクＤに記録されている情報の再生や記
録または消去を行う。
【０００５】
上記構成によれば、光ピックアップ１２の作動中に、該光ピックアップ１２や各モータ
１３，１６及びプリント基板１８上のＩＣ部品などの放熱部品からの放熱によりケーシン
グ１内が高熱状態となり、特に近年では、ディスク装置の小型化及び薄型化によりケーシ
ング１内が一層高熱状態となって、電気部品が熱破壊されるおそれがある。
【０００６】
従来、上記難点を解消する技術として特許文献１に記載したものがある。これは、図９
に仮想線で示すように、トレイ３の凹部４の内側面に多数のスリット孔２０を形成し、デ
ィスクＤの高速回転により発生した空気流Ａを各スリット孔２０に誘導し、その空気流Ａ
により放熱部品を冷却する。
【特許文献１】特開平８−３３９６７８号公報
【発明の開示】
【発明が解決しようとする課題】
【０００７】
上記従来の構成では、光ピックアップ１２の作動中、ディスクＤがターンテーブル１０
により持ち上げられており、該ディスクＤの高速回転により発生した空気流Ａが主として
トレイ３の上面３ａに沿って流れるため、各スリット孔２０内に誘導される空気流Ａが少
なく、放熱部品の冷却効果が小さい。
【０００８】
そこで、ケーシング１に冷却ファンなどの冷却機構を設けることも考えられているが、
これでは、構造が複雑になって、製作費が高くつく。
【０００９】
本発明は、上記従来の欠点に鑑み、簡単な構造で放熱部品を効果的に冷却することがで
きるディスク装置とそのケーシング内温度調整方法を提案することを目的としている。
【課題を解決するための手段】
【００１０】
上記目的を達成するため、請求項１に記載の発明は、ケーシング内のメインシャーシに
トレイが前後進可能に配置され、該トレイの上面中央にディスク載置用凹部が形成される
と共に、該凹部の内側面にスリット孔が形成され、前記トレイの下方のドライブシャーシ
がメインシャーシに上下動可能に取り付けられ、該ドライブシャーシに、ターンテーブル
付きスピンドルモータとフィードモータによりディスク半径方向に移動可能な光ピックア
ップとが配置され、前記トレイ及びドライブシャーシを駆動するためのローディングモー
タがメインシャーシに設けられており、トレイをケーシング内に収納している状態からロ
ーディングモータの正転駆動によりドライブシャーシを下動させた後にトレイを前進させ
、その最前進状態のトレイの凹部内からディスクを取り出したり該凹部内に新たなディス
クを載置し、前記ローディングモータの逆転駆動によりトレイを後進させた後にドライブ
シャーシを上動させ、トレイ上のディスクをターンテーブルで持ち上げ、スピンドルモー
タによりターンテーブルを介してディスクを高速回転させ、そのディスクの高速回転に伴
う空気流をスリット孔に誘導するようにしたディスク装置において、前記トレイの凹部内
側面に形成したスリット孔に代えて、該トレイの上面の前後両端部に凹部を取り囲むよう
にして複数の通気孔が形成され、該各通気孔より外側でその各通気孔の側縁に沿ってトレ
イの前板部とほぼ同一高さの誘導板が立設されており、ディスクの高速回転に伴う空気流
を各誘導板に沿って各通気孔内に誘導し、前記ケーシング内に温度検出器が配置され、該
温度検出器による検出温度に基づいて前記各モータ及び光ピックアップを制御するコント
ローラが設けられており、温度検出器による検出温度が設定値よりも高いときに光ピック
アップの作動を停止させ、続いて一定時間経過後に検出温度が設定値よりも高いときにス
ピンドルモータによるディスクの回転を停止させた後、ローディングモータによりトレイ
を前進させ、その後、一定時間経過後に検出温度が設定値よりも低くなったときにローデ
ィングモータによりトレイを後進させるようにしたことを特徴としている。
【００１１】
請求項２に記載の発明は、ケーシング内のメインシャーシにトレイが前後進可能に配置
され、該トレイの上面中央にディスク載置用凹部が形成されると共に、該凹部の内側面に
スリット孔が形成され、前記トレイの下方のドライブシャーシがメインシャーシに上下動
可能に取り付けられ、該ドライブシャーシに、ターンテーブル付きスピンドルモータとフ
ィードモータによりディスク半径方向に移動可能な光ピックアップとが配置され、前記ト
レイ及びドライブシャーシを駆動するためのローディングモータがメインシャーシに設け
られており、トレイをケーシング内に収納している状態からローディングモータの正転駆
動によりドライブシャーシを下動させた後にトレイを前進させ、その最前進状態のトレイ
の凹部内からディスクを取り出したり該凹部内に新たなディスクを載置し、前記ローディ
ングモータの逆転駆動によりトレイを後進させた後にドライブシャーシを上動させ、トレ
イ上のディスクをターンテーブルで持ち上げ、スピンドルモータによりターンテーブルを
介してディスクを高速回転させ、そのディスクの高速回転に伴う空気流をスリット孔に誘
導するようにしたディスク装置において、前記トレイの凹部内側面に形成したスリット孔
に代えて、該トレイの上面の前後両端部に凹部を取り囲むようにして複数の通気孔が形成
され、該各通気孔より外側でその各通気孔の側縁に沿ってトレイの前板部よりも所定間隔
だけ高い誘導板が該トレイに起倒可能に取り付けられると共に、その各誘導板がばねによ
り常時起立状態に保持されており、ディスクの高速回転に伴う空気流を各誘導板に沿って
各通気孔内に誘導し、各誘導板がケーシングのトレイ挿通口に当たってばねに抗して倒れ
ることにより該トレイ挿通口を通過し、前記ケーシング内に温度検出器が配置され、該温
度検出器による検出温度に基づいて前記各モータ及び光ピックアップを制御するコントロ
ーラが設けられており、温度検出器による検出温度が設定値よりも高いときに光ピックア
ップの作動を停止させ、続いて一定時間経過後に検出温度が設定値よりも高いときにスピ
ンドルモータによるディスクの回転を停止させた後、ローディングモータによりトレイを
前進させ、その後、一定時間経過後に検出温度が設定値よりも低くなったときにローディ
ングモータによりトレイを後進させるようにしたことを特徴としている。
【００１２】
請求項３に記載の発明は、ケーシング内のメインシャーシにトレイが前後進可能に配置
され、該トレイの上面中央にディスク載置用凹部が形成され、そのトレイの下方のドライ
ブシャーシがメインシャーシに上下動可能に取り付けられ、該ドライブシャーシに、ター
ンテーブル付きスピンドルモータとフィードモータによりディスク半径方向に移動可能な
光ピックアップとが配置され、前記トレイ及びドライブシャーシを駆動するためのローデ
ィングモータがメインシャーシに設けられており、トレイをケーシング内に収納している
状態からローディングモータの正転駆動によりドライブシャーシを下動させた後にトレイ
を前進させ、その最前進状態のトレイの凹部内からディスクを取り出したり該凹部内に新
たなディスクを載置し、前記ローディングモータの逆転駆動によりトレイを後進させた後
にドライブシャーシを上動させ、トレイ上のディスクをターンテーブルで持ち上げ、スピ
ンドルモータによりターンテーブルを介してディスクを高速回転させるようにしたディス
ク装置において、前記トレイの上面の前後両端部に凹部を取り囲むようにして複数の通気
孔が形成され、該各通気孔より外側でその各通気孔の側縁に沿って誘導板が立設されてお
り、ディスクの高速回転に伴う空気流を各誘導板に沿って各通気孔内に誘導するようにし
たことを特徴としている。
【００１３】
請求項４に記載の発明は、請求項３に記載の発明において、前記各誘導板がトレイの前
板部よりも所定間隔だけ高く設定されてトレイに起倒可能に取り付けられると共に、その
各誘導板がばねにより常時起立状態に保持されており、ディスクの高速回転に伴う空気流
を各誘導板に沿って各通気孔内に誘導し、各誘導板がケーシングのトレイ挿通口に当たっ
てばねに抗して倒れることにより該トレイ挿通口を通過するようにしたことを特徴として
いる。
【００１４】
請求項５に記載の発明は、ケーシング内のメインシャーシにトレイが前後進可能に配置
され、該トレイの上面中央にディスク載置用凹部が形成され、そのトレイの下方のドライ
ブシャーシがメインシャーシに上下動可能に取り付けられ、該ドライブシャーシに、ター
ンテーブル付きスピンドルモータと光ピックアップ付きフィードモータとが配置され、前
記トレイ及びドライブシャーシを駆動するためのローディングモータがメインシャーシに
設けられており、トレイをケーシング内に収納している状態からローディングモータの正
転駆動によりドライブシャーシを下動させた後にトレイを前進させ、その最前進状態のト
レイの凹部内からディスクを取り出したり該凹部内に新たなディスクを載置し、前記ロー
ディングモータの逆転駆動によりトレイを後進させた後にドライブシャーシを上動させ、
トレイ上のディスクをターンテーブルで持ち上げ、スピンドルモータによりターンテーブ
ルを介してディスクを高速回転させるようにしたディスク装置において、前記ケーシング
内に温度検出器が配置され、該温度検出器による検出温度に基づいて前記各モータ及び光
ピックアップを制御するコントローラが設けられており、温度検出器による検出温度が設
定値よりも高いときに光ピックアップの作動を停止させ、続いて一定時間経過後に検出温
度が設定値よりも高いときにスピンドルモータによるディスクの回転を停止させた後、ロ
ーディングモータによりトレイを前進させ、その後、一定時間経過後に検出温度が設定値
よりも低くなったときにローディングモータによりトレイを後進させるようにしたことを
特徴としている。
【発明の効果】
【００１５】
請求項１に記載の発明は第１の実施の形態（図１〜図５参照）に対応するものであって
、これによれば、トレイの上面の前後両端部に凹部を取り囲むようにして複数の通気孔が
形成され、該各通気孔より外側でその各通気孔の側縁に沿って誘導板が立設されており、
その各誘導板がターンテーブルにより持ち上げたディスクに対向しているので、そのディ
スクの高速回転により発生してトレイの上面に沿って流れる空気流が各誘導板に当たって
各通気孔内に誘導され、その誘導した空気流によりトレイ下方の光ピックアップなどの放
熱部品を効率良く冷却することができ、ディスク装置の小型化及び薄型化に対応すること
ができる。また、既存のトイレに通気孔と誘導板とを追加しただけであるから、構造が簡
単で製作費が安くつく。
【００１６】
更に、光ピックアップの作動中にケーシング内が所定の高温状態になると、温度検出器
による検出温度に基づいてコントローラの制御により、第１段として光ピックアップの作
動を停止させ、第２段としてスピンドルモータによるディスクの回転を停止させ、第３段
としてローディングモータによりトレイを前進させてケーシングのトレイ挿通口を開放す
るので、該ケーシング内が高温状態で放置されることがなくなり、そのケーシング内の電
気部品が熱破壊されるのを防ぐことができる。また、トレイを前進させた後、一定時間経
過後に検出温度が設定値よりも低くなったときにローディングモータによりトレイを後進
させて自動的に元の状態に戻すことができる。
【００１７】
請求項２に記載の発明は第２の実施の形態（図６参照）に対応するものであって、これ
によれば、請求項１に記載の発明と同様の効果を得ることができ、特に、各誘導板が高い
ので、トレイの上面から比較的高い位置を通過する空気流もその各誘導板により確実につ
かんで各通気孔内に誘導し、冷却効果を一層高めることができる。また、各誘導板がケー
シングのトレイ挿通口に当たってばねに抗して倒れることにより該トレイ挿通口を通過す
るので、その各誘導板がトレイの前後進を阻害することもない。
【００１８】
請求項３に記載の発明は基本形態に対応するものであって、これによれば、トレイの上
面の前後両端部に凹部を取り囲むようにして複数の通気孔が形成され、該各通気孔より外
側でその各通気孔の側縁に沿って誘導板が立設されており、その各誘導板がターンテーブ
ルにより持ち上げたディスクに対向しているので、そのディスクの高速回転により発生し
てトレイの上面に沿って流れる空気流が各誘導板に当たって各通気孔内に誘導され、その
誘導した空気流によりトレイ下方の光ピックアップなどの放熱部品を効率良く冷却するこ
とができ、ディスク装置の小型化及び薄型化に対応することができる。また、既存のトイ
レに通気孔と誘導板とを追加しただけであるから、構造が簡単で製作費が安くつく。
【００１９】
請求項４に記載の発明によれば、各誘導板が高いので、トレイの上面から比較的高い位
置を通過する空気流もその各誘導板により確実につかんで各通気孔内に誘導し、冷却効果
を一層高めることができる。また、各誘導板がケーシングのトレイ挿通口に当たってばね
に抗して倒れることにより該トレイ挿通口を通過するので、その各誘導板がトレイの前後
進を阻害することもない。
【００２０】
請求項５に記載の発明はケーシング内温度調整方法に関するものであって、これによれ
ば、光ピックアップの作動中にケーシング内が所定の高温状態になると、温度検出器によ
る検出温度に基づいてコントローラの制御により、第１段として光ピックアップの作動を
停止させ、第２段としてスピンドルモータによるディスクの回転を停止させ、第３段とし
てローディングモータによりトレイを前進させてケーシングのトレイ挿通口を開放するの
で、該ケーシング内が高温状態で放置されることがなくなり、そのケーシング内の電気部
品が熱破壊されるのを防ぐことができる。また、トレイを前進させた後、一定時間経過後
に検出温度が設定値よりも低くなったときにローディングモータによりトレイを後進させ
て自動的に元の状態に戻すことができる。
【発明を実施するための最良の形態】
【００２１】
図１〜図４は本発明の第１の実施の形態であるディスク装置を示すものであって、トレ
イ３の上面３ａの前後両端部に凹部４を取り囲むようにして複数（この実施の形態では４
つ）の長方形状通気孔２２が左右方向ｃ，ｄに沿って形成され、該各通気孔２２より外側
でその各通気孔２２の側縁に沿って誘導板２３が立設され、該各誘導板２３の高さｈ１が
トレイ３の前板部３ｂの高さｈ２とほぼ同一に設定され、ケーシング１内の上部に温度検
出器２４が配置され、該温度検出器２４による検出温度に基づいて前記各モータ１３，１
６及び光ピックアップ１２を制御するマイクロコンピュータからなるコントローラ２５が
設けられている。上記以外の構成は図７〜図９に示す構成とほぼ同じであるから、同一部
分に同一符号を付してその説明を省略する。
【００２２】
冷却作用を説明すると、図１に実線で示すように、ターンテーブル１０によりディスク
Ｄを持ち上げ、スピンドルモータ１１によりターンテーブル１０を介してディスクＤを高
速回転させ、そのディスクＤの高速回転に伴う空気流Ａを各誘導板２３に沿って各通気孔
２２内に誘導し、光ピックアップ１２や各モータ１３，１６及びプリント基板１８上のＩ
Ｃ部品などの放熱部品を冷却する。
【００２３】
上記構成によれば、各誘導板２３がターンテーブル１０により持ち上げたディスクＤに
対向しているので、そのディスクＤの高速回転により発生してトレイ３の上面３ａに沿っ
て流れる空気流Ａが各誘導板２３に当たって各通気孔２２内に誘導され、その誘導した空
気流Ａによりトレイ３下方の放熱部品を効率良く冷却することができ、ディスク装置の小
型化及び薄型化に対応することができる。また、既存のトレイ３に通気孔２２と誘導板２
３とを追加しただけであるから、構造が簡単で製作費が安くつく。
【００２４】
前記コントローラ２５の制御作用を図５に基づいて説明すると、ステップＳ１において
、図１に実線で示すように、スピンドルモータ１１によりターンテーブル１０を介してデ
ィスクＤを回転させた状態で、ステップＳ２に移行し、フィードモータ１３により光ピッ
クアップ１２をディスク半径方向に沿って移動させると共に、該光ピックアップ１２から
レーザ光をディスクＤに投射することにより該ディスクＤに記録されている情報の再生や
録画または消去を行い。この光ピックアップ１２の作動中に、ステップＳ３に移行し、温
度検出器２４による検出温度が設定値（例えば４０°Ｃ）よりも高いか否かを判断し、低
い場合にはステップＳ１に戻り、高い場合にはステップＳ４に移行し、放熱部品である光
ピックアップ１２の作動を停止させる。次に、ステップＳ５に移行し、一定時間（例えば
５〜１０分間）経過後、再び温度検出器２４による検出温度が設定値（例えば４０°Ｃ）
よりも高いか否かを判断し、低い場合にはステップＳ２に戻り、高い場合にはステップＳ
６に移行し、放熱部品であるスピンドルモータ１１によるディスクＤの回転を停止させ、
ステップＳ７に移行して、ローディングモータ１６によりドライブシャーシ５を下動ｆさ
せた後、ステップＳ８に移行して、ローディングモータ１６によりトレイ３を前進ａさせ
ることによりトレイ挿通口１ａを開放する（図１仮想線参照）。続いて、ステップＳ９に
移行し、一定時間（例えば５〜１０分間）経過後、再度、温度検出器２４による検出温度
が設定値（例えば４０°Ｃ）よりも高いか否かを判断し、高い場合にはステップＳ９に戻
り、低い場合にはステップＳ１０に移行し、ローディングモータ１６によりトレイ３を後
進ｂさせた後、ステップＳ１１に移行して、ローディングモータ１６によりドライブシャ
ーシ５を上動ｅさせ、元の状態に戻す。
【００２５】
上記構成によれば、光ピックアップ１２の作動中にケーシング１内が所定の高温状態に
なると、温度検出器２４による検出温度に基づいてコントローラ２５の制御により、第１
段として光ピックアップ１２の作動を停止させ、第２段としてスピンドルモータ１１によ
るディスクＤの回転を停止させ、第３段としてローディングモータ１６によりトレイ３を
前進ａさせてケーシング１のトレイ挿通口１ａを開放するので、該ケーシング１内が高温
状態で放置されることがなくなり、そのケーシング１内の電気部品が熱破壊されるのを防
ぐことができる。また、トレイ３を前進ａさせた後、一定時間経過後に検出温度が設定値
よりも低くなったときにローディングモータ１６によりトレイ３を後進ｂさせて自動的に
元の状態に戻すことができる。
【００２６】
図６は本発明の第２の実施の形態であるディスク装置の要部を示すものであって、前記
各誘導板２３の高さｈ１がトレイ３の前板部３ｂの高さｈ２よりも所定間隔α（例えば５
ｍｍ〜１ｃｍ）だけ高く設定され、該各誘導板２３の両端下部に突設した左右一対の支軸
２３ａをトレイ３の上面３ａに一体突設した軸受２６の枢支孔２６ａに回転可能に挿通す
ることにより、その各誘導板２３がトレイ３に起倒可能に取り付けられている。また、各
支軸２３ａにばね２７を巻回し、該各ばね２７の両端部をトレイ３の上面３ａと各誘導板
２３とに係合させることにより、その両ばね２７の付勢力Ｆ１，Ｆ２を互いに相殺させて
、各誘導板２３が常時起立状態に保持されている。上記以外の構成は第１の実施の形態（
図１〜図５参照）とほぼ同じであるから、同一部分に同一符号を付してその説明を省略す
る。
【００２７】
上記構成によれば、各誘導板２３が高いので、トレイ３の上面３ａから比較的高い位置
を通過する空気流Ａもその各誘導板２３により確実につかんで各通気孔２２内に誘導し、
冷却効果を一層高めることができる。また、各誘導板２３がケーシング１のトレイ挿通口
１ａに当たってばね２７に抗して倒れることにより該トレイ挿通口１ａを通過するので〔
図６（ｂ）仮想線参照〕、その各誘導板２３がトレイ３の前後進ａ，ｂを阻害することも
ない。
【図面の簡単な説明】
【００２８】
【図１】本発明の第１の実施の形態であるディスク装置の縦断面図である。
【図２】同平面図である。
【図３】同トレイの斜視図である。
【図４】（ａ）は同要部の斜視図、（ｂ）は同要部の縦断面図、（ｃ）は同要部の平面図である。
【図５】同コントローラの制御作用を示す流れ図である。
【図６】（ａ）は本発明の第２の実施の形態であるディスク装置における要部の斜視図、（ｂ）は同要部の縦断面図、（ｃ）は同要部の平面図である。
【図７】従来例を示す縦断面図である。
【図８】同平面図である。
【図９】同トレイの斜視図である。
【符号の説明】
【００２９】
１        ケーシング
１ａ      ケーシングのトレイ挿通口
２        メインシャーシ
３        トレイ
３ａ      トレイの上面
３ｂ      トレイの前板部
４        トレイのディスク載置用凹部
５        ドライブシャーシ
１０      ターンテーブル
１１      スピンドルモータ
１２      光ピックアップ
１３      フィードモータ
２０      スリット孔
２２      通気孔
２３      誘導板
２４      温度検出器
２５      コントローラ
２７      ばね
Ａ        空気流
Ｄ        ディスク
ａ，ｂ    前後進
ｃ，ｄ    左右方向
ｅ，ｆ    上下動
【図１】
2005327347.tif 000003
【図２】
2005327347.tif 000004
【図３】
2005327347.tif 000005
【図４】
2005327347.tif 000006
【図５】
2005327347.tif 000007
【図６】
2005327347.tif 000008
【図７】
2005327347.tif 000009
【図８】
2005327347.tif 000010
【図９】
2005327347.tif 000011